(57)【特許請求の範囲】
【請求項１】
着用者の腹側に配される腹側シート部材と、着用者の背側に配される背側シート部材と、腹側シート部材及び背側シート部材に架け渡して固定された吸収性本体とを具備し、
腹側シート部材及び背側シート部材は、それぞれの側縁部に、腹側シート部材と背側シート部材との間が接合されている接合部と、該接合部の下方延長線上に位置し、腹側シート部材と背側シート部材との間が接合されていない非接合部とが形成されているパンツ型吸収性物品であって、
腹側シート部材及び背側シート部材は、それぞれの前記接合部間に位置する本体部及びそれぞれの前記本体部の下方に延出する延出部を有し、前記本体部及び前記延出部に、それぞれ弾性部材が横方向に沿って伸長状態で配されており、
腹側シート部材の本体部、背側シート部材の本体部及び背側シート部材の延出部に配された弾性部材は、相互に等しい伸長率で配されており、前記腹側シート部材の延出部に配された弾性部材は、背側シート部材の延出部に配された弾性部材より高い伸長率で配されており、
前記吸収性本体は、腹側シート部材の延出部に固定されている幅が、背側シート部材の延出部に固定されている幅よりも小さい、パンツ型吸収性物品。
【請求項２】
腹側シート部材の延出部の延出長さが、背側シート部材の延出部の延出長さよりも短い、請求項１記載のパンツ型吸収性物品。
【請求項３】
腹側シート部材及び背側シート部材が何れも矩形状である、請求項１又は２記載のパンツ型吸収性物品。
【請求項４】
腹側シート部材及び背側シート部材それぞれの本体部及び延出部に、前記複数本の弾性部材によって伸縮部が形成されており、該伸縮部においては、弾性部材を挟む２枚のシートが散点状に形成された多数の接合部で互いに接合され、複数本の弾性部材が、それぞれ吸収性物品の縦方向に隣り合う接合部間を通るように配されている、請求項１〜３の何れか１項に記載のパンツ型吸収性物品。
【発明の詳細な説明】
【技術分野】
【０００１】
本発明は、使い捨ておむつ等のパンツ型吸収性物品に関する。
【背景技術】
【０００２】
従来、着用者の腹側に配される腹側部、着用者の股間部に配される股下部及び着用者の背側に配される背側部に亘る砂時計状の外包材と、該外包材の内面側に固定された吸収性本体とを備え、腹側部における外包材の両側縁部と背側部における外包材の両側縁部とが接合されてウエスト開口部及び一対のレッグ開口部が形成されているパンツ型吸収性物品が知られている。
このようなパンツ型吸収性物品を連続生産する際には、外包材の帯状原反にレッグ開口部形成用の貫通孔や切り欠きを形成し、不要な部分をトリムとして除去するのが一般的である。
【０００３】
また、従来のパンツ型吸収性物品として、外包材が、着用者の腹側に配される腹側シート部材と、着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。例えば、特許文献１には、そのようなパンツ型吸収性物品として、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
また、特許文献２には、腹側外装シートと背側外装シートとから形成された筒状の胴回り部と吸収性本体とを備え、背側外装シートが背側本体部とその下側に延出する背側延出部とを有し、該背側延出部の両側である臀部カバー部に設けられた第２弾性伸縮部材の伸張率を、背側本体部の中間部および下端部に設けられた第１弾性伸縮部材の伸張率よりも高くしたパンツ型紙おむつが記載されている。
【先行技術文献】
【特許文献】
【０００４】
【特許文献１】特表２００８−５０８０８２号公報
【特許文献２】特開２００８−１７８６８２号公報
【発明の概要】
【発明が解決しようとする課題】
【０００５】
外包材が、着用者の腹側に配される腹側シート部材と着用者の背側に配される背側シート部材とに分割されたパンツ型吸収性物品は、例えば、腹側シート部材の帯状原反と背側シート部材の帯状原反とを離間させて搬送しつつ、吸収性本体を、両者間に架け渡すように間欠的に固定し、次いで、腹側シート部材の帯状原反と背側シート部材の帯状原反とが重なるように二つ折りした後、サイドシール部形成用の接合を行い、その接合と同時又はその後に切断して個々の使い捨ておむつに分割することにより効率的に製造することができ、腹側に配される部分と背側に配される部分とが連続する幅広の外包材にレッグ開口部形成用の貫通孔や切り欠きを形成する場合に比して、外包材の原反からのトリムの除去を不要としたり、除去すべきトリムの小型化等を図ることができる。
しかし、特許文献１及び２に記載のプルオン衣類やパンツ型紙おむつは、背側シート部材の下端が曲線状に加工されているため、製造の際にトリムの除去が必要である。
他方、腹側シート部材と背側シートとを何れも矩形状あるいはそれに近い形状とした場合等には、腹側シート部材と背側シート部材との形態的な差が小さくなり、おむつの前後を視覚的に判別しづらくなる。
【０００６】
従って、本発明は、外包材が腹側シート部材と背側シート部材とに分割され、効率的に製造可能なパンツ型吸収性物品でありながら、腹側シート部材と背側シート部材を似たような形状としても、おむつの前後を容易に判別することのできるパンツ型吸収性物品に関する。
【課題を解決するための手段】
【０００７】
本発明は、着用者の腹側に配される腹側シート部材と、着用者の背側に配される背側シート部材と、腹側シート部材及び背側シート部材に架け渡して固定された吸収性本体とを具備し、腹側シート部材及び背側シート部材は、それぞれの側縁部に、腹側シート部材と背側シート部材との間が接合されている接合部と、該接合部の下方延長線上に位置し、腹側シート部材と背側シート部材との間が接合されていない非接合部とが形成されているパンツ型吸収性物品であって、腹側シート部材及び背側シート部材は、それぞれの前記接合部間に位置する本体部及びそれぞれの前記本体部の下方に延出する延出部を有し、前記本体部及び前記延出部に、それぞれ弾性部材が横方向に沿って伸長状態で配されており、腹側シート部材の本体部、背側シート部材の本体部及び背側シート部材の延出部に配された弾性部材は、相互に等しい伸長率で配されており、前記腹側シート部材の延出部に配された弾性部材は、背側シート部材の延出部に配された弾性部材より高い伸長率で配されている、パンツ型吸収性物品を提供するものである。
【発明の効果】
【０００８】
本発明のパンツ型吸収性物品は、外包材が腹側シート部材と背側シート部材とに分割され、効率的に製造可能なパンツ型吸収性物品でありながら、腹側シート部材と背側シート部材とを似たような形状としても、おむつの前後を容易に判別することができるものである。
【図面の簡単な説明】
【０００９】
【図１】図１は、本発明の一実施形態であるパンツ型使い捨ておむつの使用状態（着用状態）を示す図であり、（ａ）は、腹側部側から見た図、（ｂ）は、側方から見た図、（ｃ）は、背側部側から見た図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た伸長状態の一部破断拡大図である。
【図４】図４は、図１に示すパンツ型使い捨ておむつの背側部側をおむつ外面側から見た伸長状態の一部破断拡大図である。
【図５】図５は、図１に示すパンツ型使い捨ておむつの収縮状態（自然状態）の外観を示す模式図である。
【図６】図６は、吸収性本体と腹側シート部材及び背側シート部それぞれの延出部との接合態様を示す模式平面図である。
【図７】図７は、図１に示すパンツ型使い捨ておむつにおける各伸縮部のおむつ横方向に沿う断面を示す図であり、（ａ）は、弾性部材を伸長させて襞をなくした状態、（ｂ）は弾性部材が収縮して襞が形成されている状態を示す図である。
【発明を実施するための形態】
【００１０】
以下、本発明のパンツ型吸収性物品を、その好ましい実施形態に基づき図面を参照しながら説明する。
本発明の一実施形態であるパンツ型使い捨ておむつ１（以下、おむつ１ともいう）は、図１及び図２に示すように、着用者の腹側に配される腹側シート部材２Ａと、着用者の背側に配される背側シート部材２Ｂと、腹側シート部材２Ａ及び背側シート部材２Ｂに架け渡して固定された吸収性本体３とを具備し、腹側シート部材２Ａの両側縁部２ａ，２ａの上側部分と背側シート部材２Ｂの両側縁部２ｂ，２ｂの上側部分とが接合されて形成された一対のサイドシール部４，４が形成されている。
【００１１】
サイドシール部４は、図２に示すように、腹側シート部材２Ａの長さＬａ及び背側シート部材２Ｂの長さＬｂの何れよりも短く形成されており、腹側シート部材２Ａ及び背側シート部材２Ｂには、サイドシール部４より下方（着用時における下方）に延出する延出部２１ａ及び延出部２１ｂが形成されている。
【００１２】
より詳細に説明すると、おむつ１は、図１及び図２に示すように、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ（吸収性物品）１の縦方向は、腹側部Ａから股下部Ｃを経て背側部Ｂに亘る方向又はその逆方向（図２中Ｘ方向）であり、おむつ（吸収性物品）１の横方向は、着用者の胴回り方向に沿う方向であり、おむつ（吸収性物品）１の縦方向と交差する方向（図２中Ｙ方向）である。
【００１３】
おむつ１の吸収性本体３は、図２に示すように、液透過性の表面シート３１、液不透過性又は撥水性の裏面シート３２、及び両シート３１、３２間に介在配置された液保持性の吸収体３３を有しており、Ｘ方向に長い長方形状に形成されている。吸収体３３は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。吸収体３３も、Ｘ方向に長い長方形状に形成されている。吸収体３３は、長手方向の両側に、吸収性コアの形成材料が存在しないか又は該形成材料の坪量が他の部分より少ない低剛性部３３ｄを有している。吸収体３３が低剛性部３３ｄで屈曲し易いことにより、おむつ着用時に、吸収体３３又は吸収性本体３の両側部が着用者の肌側に向かって立ち上がり易くなっている。
【００１４】
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から幅方向外方への液の流出が阻止される。表面シート３１、裏面シート３２、及び吸収体３３の吸収性コアやコアラップシートとしては、それぞれ、この種の吸収性物品に従来用いられているものと同様のものを用いることができる。吸収性本体３の外側には、裏面シート３２に重ねて、不織布やフィルム等の外装シートを配することもできる。
【００１５】
腹側シート部材２Ａは、おむつ１の展開且つ伸長状態（図２参照）において、横長の長方形状をなしており、おむつ縦方向（Ｘ方向）に沿う左右一対の側縁部２ａ，２ａと、おむつ横方向（Ｙ方向）に沿う上下一対の端縁部２ｃ，２ｄ（上側端縁部２ｃ、下側端縁部２ｄ）とを有している。背側シート部材２Ｂも、同様に、横長の長方形状をなしており、おむつ縦方向（Ｘ方向）に沿う左右一対の側縁部２ｂ，２ｂと、おむつ横方向（Ｙ方向）に沿う上下一対の端縁部２ｃ，２ｄとを有している。腹側シート部材２Ａと背側シート部材２Ｂは、図２に示すように、おむつ縦方向（Ｘ方向）の長さがおむつ横方向（Ｙ方向）において均一である。
【００１６】
そして、腹側シート部材２Ａは、前記側縁部２ａ，２ａそれぞれに、腹側シート部材２Ａと背側シート部材２Ｂとの間が接合されてサイドシール部４を形成している接合部２ａ’と、該接合部２ａ’の下方に延出し、腹側シート部材２Ａと背側シート部材２Ｂとの間が接合されていない非接合部２ａ”とを有している。また、背側シート部材２Ｂも同様に、前記側縁部２ｂ，２ｂそれぞれに、背側シート部材２Ｂと腹側シート部材２Ａとの間が接合されてサイドシール部４を形成している接合部２ｂ’と、該接合部２ｂ’の下方に延出し、背側シート部材２Ｂと腹側シート部材２Ａとの間が接合されていない非接合部２ｂ”とを有している。そして、腹側シート部材２Ａの側縁部２ａの一部である接合部２ａ’と、背側シート部材２Ｂの側縁部２ｂの一部である接合部２ｂ’とが接合されていることによって、おむつ１に、前述した一対のサイドシール部４，４が形成されている。この接合には、例えばヒートシール、高周波シール、超音波シール、接着剤等が用いられる。また、この接合によって、サイドシール部４，４と共に、ウエスト開口部５及び一対のレッグ開口部６，６が形成されている。
【００１７】
腹側シート部材２Ａは、このように、前記接合部２ａ’，２ａ’間に位置する本体部２０ａ（以下、腹側本体部２０ａという）及び該本体部２０ａの下方（股下部Ｃ側）に延出する矩形の延出部２１ａ（以下、腹側延出部２１ａともいう）を有している。同様に、背側シート部材２Ｂも、前記接合部２ｂ’，２ｂ’間に位置する本体部２０ｂ（以下、背側本体部２０ｂという）及び該本体部２０ａの下方（股下部Ｃ側）に延出する矩形の延出部２１ｂ（以下、背側延出部２１ｂともいう）を有している。
【００１８】
腹側シート部材２Ａの側縁部２ａの前記接合部２ａ’及び前記非接合部２ａ”は、おむつの展開且つ伸長状態（図２参照）において、おむつ縦方向に連続して延びている。また、背側シート部材２Ｂの側縁部２ｂの前記接合部２ｂ’及び前記非接合部２ｂ”も、おむつの展開且つ伸長状態（図２参照）において、おむつ縦方向に連続して延びている。図１には、ウエスト開口部５に幼児の胴部７ａ、レッグ開口部６，６に幼児の脚部７ｂ，７ｂが挿通された状態が示されている。
【００１９】
吸収性本体３は、長手方向の一端側（腹側シート部材２Ａと重なっている部分）が、腹側シート部材２ＡのＹ方向の中央部に接着剤を介して固定され、長手方向の他端側（背側シート部材２Ｂと重なっている部分）が、背側シート部材２ＢのＹ方向の中央部に接着剤を介して固定されている。
【００２０】
おむつ１における腹側シート部材２Ａ及び背側シート部材２Ｂは何れも、図３及び図４に示すように、おむつの外面をなす外層シート２２と、外層シート２２の内面側に配された内層シート２３と、両シート２２，２３間に配された複数本の糸状の弾性部材２４とを備えており、腹側本体部２０ａ及び背側本体部２０ｂに、それぞれ、ウエスト伸縮部Ｇ１及び胴回り伸縮部Ｇ２が形成され、腹側延出部２１ａ及び背側延出部２１ｂに、延出部伸縮部Ｇ３が形成されている。
【００２１】
ウエスト伸縮部Ｇ１は、腹側シート部材２Ａ及び背側シート部材２Ｂのそれぞれにおいて、おむつ１の縦方向（Ｘ方向）における、吸収性本体３の長手方向の端部３ａ，３ｂより外方に形成されている。胴回り伸縮部Ｇ２は、腹側シート部材２Ａ及び背側シート部材２Ｂのそれぞれにおいて、おむつ１の縦方向（Ｘ方向）における、ウエスト伸縮部Ｇ１と腹側延出部２１ａ又は背側延出部２１ｂとの間に形成されている。延出部伸縮部Ｇ３は、腹側延出部２１ａ又は背側延出部２１ｂに形成されている。胴回り伸縮部Ｇ２及び延出部伸縮部Ｇ３は、それぞれ、おむつ１の横方向（Ｙ方向）における、少なくとも、吸収性本体３の長手方向の両側縁それぞれより外方に位置する部分に形成されていることが好ましい。
【００２２】
図３及び図４に示すおむつ１においては、ウエスト伸縮部Ｇ１は、腹側シート部材２Ａ又は背側シート部材２Ｂにおける端部固定部２７，２７間の全域に亘って伸縮性を発現するように形成されており、他方、胴回り伸縮部Ｇ２及び延出部伸縮部Ｇ３は、吸収性本体３の両側縁の外方においては伸縮性を発現し、吸収性本体３と重なる部分、特に吸収性本体３の幅方向中央部と重なる部分において伸縮性を発現しないように、おむつ１の左右に分割された状態に形成されている。
【００２３】
腹側シート部材２Ａの本体部である腹側本体部２０ａ、背側シート部材２Ｂの本体部である背側本体部２０ｂ、腹側シート部材２Ａの延出部である腹側延出部２１ａ、及び背側シート部材２Ｂの延出部である背側延出部２１ｂには、それぞれ、複数本の弾性部材２４が、それぞれおむつ横方向に沿って延びるように、且つおむつの縦方向に間隔を開けて伸長状態で配されている。
より具体的には、腹側シート部材２Ａについては、図３に示すように、腹側本体部２０ａにおけるウエスト伸縮部Ｇ１に複数本の弾性部材２４Ａが配され、腹側本体部２０ａにおける胴回り伸縮部Ｇ２に複数本の弾性部材２４Ｂが配され、腹側延出部２１ａにおける延出部伸縮部Ｇ３に複数本の弾性部材２４Ｃが配されている。
他方、背側シート部材２Ｂについては、図４に示すように、背側本体部２０ｂにおけるウエスト伸縮部Ｇ１に複数本の弾性部材２４Ｄが配され、背側本体部２０ｂにおける胴回り伸縮部Ｇ２に複数本の弾性部材２４Ｅが配され、背側延出部２１ｂにおける延出部伸縮部Ｇ３に複数本の弾性部材２４Ｆが配されている。
【００２４】
そして、腹側シート部材２Ａの腹側本体部２０ａに配された弾性部材２４Ａ，２４Ｂと、背側シート部材２Ｂの背側本体部２０に配された弾性部材２４Ｄ，２４Ｅと、背側延出部２１ｂに配された弾性部材２４Ｆとは、相互に等しい伸長率で配されている。
【００２５】
他方、腹側延出部２１ａの弾性部材２４Ｃは、背側延出部２１ｂの弾性部材２４Ｆより高い伸長率で配されている。腹側延出部２１ａに、背側延出部２１ｂの弾性部材２４Ｆよりも高い伸長率で弾性部材２４Ｃを配することによって、図５に示すように、腹側延出部２１ａが背側延出部２１ｂよりもおむつ横方向に大きく収縮し、展開且つ伸長状態のおむつ１における、腹側シート部材２Ａと背側シート部材２Ｂとの形状が似ていても、収縮した状態の形状の差によって、おむつ１の前後を視覚的に容易に判別できるようになる。
【００２６】
このような観点から、腹側延出部２１ａの弾性部材２４Ｃの伸長率と、背側延出部２１ｂの弾性部材２４Ｆの伸長率との差は、弾性部材２４Ｆの伸長率に対して、２５〜８０％であることが好ましく、４０〜６０％であることがより好ましい。
【００２７】
各伸縮部に配された弾性部材の伸長率は下記方法により測定することができる。
＜伸長率の測定方法＞
（１）未伸長状態のおむつ１について、各伸縮部に、幅方向に沿って長さ２０ｍｍの印を付す。
（２）この印の両端部において、シート部材と弾性部材を把持して、各伸縮部のシート部材における襞をなくした状態（伸展状態）まで各伸縮部を幅方向に伸長する。
（３）伸長後の印の長さ（両端部間の距離）Ｌｐを測定する。
（４）（Ｌｐ／２０）×１００（％）を、各伸縮部に配された弾性部材の伸長率とする。
（５）未伸長状態のおむつ１について、各伸縮部に、幅方向に沿って長さ２０ｍｍの印を付すことができない場合は、可能な限り大きな間隔に印を付して測定する。
【００２８】
本実施形態のおむつ１におけるウエスト伸縮部Ｇ１、胴回り伸縮部Ｇ２、延出部伸縮部Ｇ３においては、外層シート２２と内層シート２３との間が、散点状に形成された多数の接合部２６において接合されている。
より具体的には、腹側シート部材２Ａ及び背側シート部材２Ｂの伸縮部Ｇ１〜Ｇ３の何れにおいても、おむつ１の横方向（Ｙ方向）に接合部２６が間欠的に直列配置されてなる接合部列が、おむつ１の縦方向（Ｘ方向）に複数列形成されている。また、それらの接合部列における各接合部のＹ方向の位置も全ての接合部列において一致している。また、おむつ１の縦方向（Ｘ方向）に接合部２６が直列配置されてなる縦接合部列も形成されており、該縦接合部列は、おむつ１の横方向（Ｙ方向）に間隔をおいて複数列形成されている。
そして、腹側シート部材２Ａ及び背側シート部材２Ｂの伸縮部Ｇ１〜Ｇ３の何れにおいても、複数本の弾性部材２４が、それぞれ、縦方向に隣接する接合部２６間を通るように配されている。また、各弾性部材２４は、後述する端部固定部２７又は吸収性本体側固定部２８においてシート２２，２３間に固定されている一方、それ以外の部位においては、シート２２，２３の何れにも固定されていない。
【００２９】
腹側シート部材２Ａのウエスト伸縮部Ｇ１は、腹側シート部材２Ａの両側縁部２ａ，２ａに、外層シート２２と内層シート２３との間が接着剤を介して接合された一対の端部固定部２７を有している（図３参照）。ウエスト伸縮部Ｇ１に配された弾性部材２４Ａは、一対の端部固定部２７それぞれにおいてシート２２，２３間に固定されている一方、端部固定部２７間においては、シート２２，２３の何れにも固定されていない。背側シート部材２Ｂのウエスト伸縮部Ｇ１についても同様である（図４参照）。
【００３０】
腹側シート部材２Ａの胴回り伸縮部Ｇ２は、何れも、腹側シート部材２Ａの一方の側縁部に、外層シート２２と内層シート２３との間が接着剤を介して接合された端部固定部２７を有しており、また、端部固定部２７よりおむつ横方向の中央側に、外層シート２２と内層シート２３との間が接着剤を介して接合された吸収性本体側固定部２８を有している（図３参照）。胴回り伸縮部Ｇ２に配された弾性部材２４Ｂは、端部固定部２７と吸収性本体側固定部２８のそれぞれにおいてシート２２，２３間に固定されている一方、端部固定部２７と吸収性本体側固定部２８との間においては、シート２２，２３の何れにも固定されていない。腹側シート部材２Ａの延出部伸縮部Ｇ３、背側シート部材２Ｂの胴回り伸縮部Ｇ２及び延出部伸縮部Ｇ３についても同様である（図３，４参照）。
【００３１】
吸収性本体側固定部２８は、図３及び図４に示すように、おむつ横方向外側の端が、吸収性本体３の側縁３ｃの位置よりおむつ横方向の内側（中央側）に位置するように形成されているが、これに代えて、吸収性本体３の側縁３ｃの内外に亘るように形成したり、吸収性本体３の側縁３ｃよりおむつ横方向の外方に形成することもできる。
【００３２】
また、本実施形態のおむつ１における吸収性本体３は、腹側延出部２１ａに対して図６に８Ａで示す範囲において接合されており、背側延出部２１ｂに対して図６に８Ｂで示す範囲において接合されている。そして、吸収性本体３は、腹側延出部２１ａに固定されている幅Ｗａが、背側延出部２１ｂに固定されている幅Ｗｂよりも小さくなっている。
幅Ｗａ＞幅Ｗｂとすることにより、腹側延出部２１ａが収縮する程度と、背側延出部２１ｂが収縮する程度との間に差を付けることが一層容易となる。
【００３３】
腹側延出部２１ａの延出長さＬ５（おむつ縦方向の長さ，図２参照）は、腹側シート部材２Ａの同方向の長さＬａ（図２参照）の５〜６０％、特に２０〜４０％であることが好ましく、背側延出部２１ｂの延出長さＬ６（おむつ縦方向の長さ，図２参照）は、背側シート部材２Ｂの同方向の長さＬｂ（図２参照）の５〜６０％、特に２０〜４０％であることが好ましい。また、幼児用のおむつの場合、腹側及び背側延出部２１ａ，２１ｂそれぞれの延出長さＬ５，Ｌ６は、１０〜１００ｍｍであることが好ましく、より好ましくは２０〜７０ｍｍである。成人用のおむつの場合、腹側及び背側延出部２１ａ，２１ｂそれぞれの延出長さＬ５，Ｌ６は、１０〜１５０ｍｍであることが好ましく、より好ましくは２０〜１００である。
【００３４】
また、背側延出部２１ｂの延出長さＬ６は、腹側延出部２１ａの延出長さＬ５と同じ（Ｌ５＝Ｌ６）か、それ以上（Ｌ６＞Ｌ５）であることがその前後を視覚的に判断できるといった観点から好ましい。背側延出部２１ｂを、腹側延出部２１ａより長くすることにより、おむつ１の前後が見た目に判別し易くなり、衣類に似た外観となる。また、腹側のレック開口部が見た目に細くスッキリした外観となる。
また、腹側延出部２１ａを備えることにより装着状態におけるおむつ１のズレ落ちを抑えることができる。また、背側延出部２１ｂを備えることにより装着状態における着用者の臀部を覆うことができ、幼児用であれば親へ安心感を与えることができる。
また、腹側延出部２１ａと背側延出部２１ｂの両方を備えると、装着状態におけるおむつ１のサイドシール部４をほぼ直線とすることができる。
背側延出部２１ｂの延出長さＬ６に対する腹側延出部２１ａの延出長さＬ５の比（Ｌ５／Ｌ６）は、０．２〜０．８であることが好ましく、０．４〜０．６であることがより好ましい。
【００３５】
腹側シート部材２Ａ及び背側シート部材２Ｂそれぞれのウエスト伸縮部Ｇ１，胴回り伸縮部Ｇ２及び延出部伸縮部Ｇ３においては、弾性部材２４が収縮することにより、隣接する縦接合部列間のシート２２及び２３が外方に膨らむように変形して、隣接する縦接合部列間にシート２２又はシート２３からなる襞２９が生じると共に、両シート２２，２３間には、襞２９と襞２９とに周囲を囲まれた中空部３０が形成される（図７参照）。襞２９や中空部３０が形成されることにより、腹側シート部材２Ａ及び背側シート部材２Ｂの柔らかさが向上して肌触り等が向上する他、肌当接面側に形成される襞２９間を空気が流通し易くムレ防止性にも優れている。特に、内層シート２３を、不織布等の通気性シートで形成した場合等においては、おむつ１内の湿気を外部に一層逃がしやすくなる。
【００３６】
なお、上述した実施形態のおむつ１における、外層シート２２及び内層シート２３は、ウエスト開口部の開口周縁端をなす端縁部２ｃにおいて内層シート２３側に折り返された延出折り返し部２２ａ，２３ａを有しており、延出折り返し部２２ａ，２３ａは、サイドシール部４において、外層シート２２及び内層シート２３の折り返されていない部分と接合されていると共に、吸収性本体３の長手方向と重なる部分が、接着剤により該吸収性本体３の表面シート３１側の面に接合されている。
【００３７】
外層シート２２及び内層シート２３としては、この種の物品に従来使用されている各種のシート材を特に制限なく用いることができるが、不織布であることが好ましく、特に柔軟性等の観点から、エアースルー不織布、ヒートロール不織布、スパンレース不織布、スパンボンド不織布、メルトブローン不織布等からなる単層の不織布又は２層以上の積層不織布であることが好ましい。また、これらの不織布とフィルムとを一体化したシートでもよい。弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００３８】
上述したおむつ１は、例えば、腹側シート部材２Ａの帯状原反と背側シート部材２Ｂの帯状原反とを離間させて搬送しつつ、吸収性本体３を、両者間に架け渡すように間欠的に固定し、次いで、腹側シート部材２Ａの帯状原反と背側シート部材２Ｂの帯状原反とが重なるように二つ折りした後、サイドシール部４を形成するための熱シール等（接合）を行い、その接合と同時又はその後に切断して個々の使い捨ておむつに分割することにより効率的に製造することができる。この方法によれば、レッグ開口部形成用の貫通孔や切り欠きを形成する場合に比して、外包材の原反からのトリムの除去を不要としたり、除去すべきトリムの小型化等を図ることができる。特に腹側シート部材２Ａ及び背側シート部材２Ｂの帯状原反を流れ方向と直交する直線で切断したものが、完成したおむつ１の腹側シート部材２Ａ及び背側シート部材２Ｂとなるようにすることがトリムの除去を不要とできるため好ましい。
【００３９】
以上、本発明をその好ましい実施形態に基づき説明したが、本発明は上述した実施形態に制限されず適宜変更可能である。
例えば、上述した実施形態のおむつ１においては、弾性部材２４Ａ、弾性部材２４Ｂ、弾性部材２４Ｄ、弾性部材２４Ｅは、何れも弾性部材２４Ｆと等しい伸長率で配されているが、弾性部材２４Ｂと弾性部材２４Ｅの伸長率が弾性部材２４Ｆと等しく、且つ弾性部材２４Ｃが弾性部材２４Ｆより高い伸長率で配されていることを条件として、弾性部材２４Ａと弾性部材２４Ｂの伸長率が異なっていても良く、また、弾性部材２４Ｄと弾性部材２４Ｅの伸長率が異なっていても良い。例えば、弾性部材２４Ａが弾性部材２４Ｂより低い伸長率でも良く、弾性部材２４Ｄが弾性部材２４Ｅより低い伸長率でも良い。
また、腹側シート部材２Ａと背側シート部材２Ｂは、それぞれ、弾性部材２４と重ならないように形成されたドット状の接合部２６を有するものに代えて、おむつ外面をなす外層シート２２とその内側に配された内層シート２３とが全域において接着された構造を有するものであっても良い。また、ウエスト伸縮部Ｇ１、胴回り伸縮部Ｇ２、延出部伸縮部Ｇ３は、それぞれ、その全体又は一部が、おむつ外面をなす外層シート２２とその内側に配された内層シート２３とが全域において接着された構造を有するものであっても良い。
【００４０】
また、吸収性本体３は、腹側延出部２１ａに固定されている幅Ｗａと背側延出部２１ｂに固定されている幅Ｗｂとが同一であっても良い。
また、胴回り伸縮部Ｇ２を、腹側シート部材２Ａ及び／又は背側シート部材２Ｂの全幅に亘るように形成しても良く、延出部伸縮部Ｇ３も、腹側シート部材２Ａ及び／又は背側シート部材２Ｂの全幅に亘るように形成しても良い。
【００４１】
また、サイドシール部４は、腹側及び背側シート部材の側縁部２ａ，２ｂを接合して形成されているが、サイドシール部４の外側に腹側シート部材２Ａと背側シート部材２Ｂとが接合されていない細幅（例えば０ｍｍ超２０ｍｍ以下）の非接合部分を有していてもよい。
【００４２】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００４３】
１  パンツ型使い捨ておむつ（パンツ型吸収性物品）
２Ａ  腹側シート部材
２ａ，２ａ  側縁部
２ａ’，２ａ’  接合部
２ａ”，２ａ”  非接合部
２０ａ  腹側本体部
２１ａ  腹側延出部
２Ｂ  背側シート部材
２ｂ，２ｂ  側縁部
２ｂ’，２ｂ’  接合部
２ｂ”，２ｂ”  非接合部
２０ａ  背側本体部
２１ｂ  背側延出部
２２  外層シート
２３  内層シート
２４，２４Ａ〜２４Ｆ  弾性部材
２９  襞
３  吸収性本体
３１  表面シート
３２  裏面シート
３３  吸収体
３４  側方カフス
４  サイドシール部
５  ウエスト開口部
６  レッグ開口部
Ａ  腹側部
Ｂ  背側部
Ｃ  股下部
Ｇ１  ウエスト伸縮部
Ｇ２  胴回り伸縮部
Ｇ３  延出部伸縮部
【図１】
0005580675.tif 000002
【図２】
0005580675.tif 000003
【図３】
0005580675.tif 000004
【図４】
0005580675.tif 000005
【図５】
0005580675.tif 000006
【図６】
0005580675.tif 000007
【図７】
0005580675.tif 000008